【事件の表示】
　平成　９年特許願第　３１８２７号「情報処理装置」拒絶査定不服審判事件〔平成１０年　８月２５日出願公開、特開平１０−２２８４８３〕について、次のとおり審決する。
【結　論】
　本件審判の請求は、成り立たない。
【理　由】
１．　手続の経緯
　
　本願は、平成９年２月１７日の出願であって、平成１８年７月１８日付け拒絶理由通知に対して、同年９月１９日付けで手続補正がされたが、同年１１月２４日付けで拒絶査定され、これに対して、平成１９年１月１８日に拒絶査定不服審判が請求されたものである。
　
　
２．　本願発明
　
　本願の請求項に係る発明は、平成１８年９月１９日付けの手続補正によって補正された明細書の特許請求の範囲の請求項１乃至９に記載されたとおりのものであり、本願の請求項１に係る発明（以下、「本願発明」という。）は、この平成１８年９月１９日付けの手続補正によって補正された明細書の特許請求の範囲の請求項１に記載された次のとおりのものである。
　
＜本願発明＞
「　画像情報を入力する画像入力手段と、
　前記画像情報と同時または非同時に前記画像情報と異なる種類の他の情報を入力する情報入力手段と、
　前記画像情報と前記他の情報とを関連付けして記憶する記憶手段と、
　前記画像情報に対応する画像を表示する表示手段と、
　前記記憶手段に記憶されている情報を削除する削除手段と、
　前記表示手段により複数の前記画像情報に対応する複数の画像を同時に表示させた状態において、前記削除手段により前記画像情報に関連付けられて記憶されている前記他の情報のみを削除させるよう制御する制御手段と
　を備えることを特徴とする情報処理装置。」
　
　
３．　引用例
　
　原査定の拒絶の理由に引用された、本願出願前である平成７年７月２１日に頒布された刊行物である、特開平７−１８４１６０号公報（以下、「引用例」という。）には、図面とともに以下の記載がある。
　
（ａ）　「　【０００１】
【産業上の利用分野】本発明は画像及び音声の処理して、記録再生を行なう装置に関するものである。」
　
（ｂ）　「　【０００８】
【課題を解決するための手段】上述の課題を解決し、目的を達成するために、本発明の画像データ及び音声データを処理する装置は、画像データと音声データとを関連づけて記録するための記録媒体と、前記記録媒体に格納された音声データを指定する指定手段と、前記指定された音声データに関連する画像データをファイル情報として検索する制御手段と、前記検索された画像データを読み出し、再生する読出手段とを具備することを特徴としている。」
　
（ｃ）　「　【００１０】また、好ましくは前記記録媒体に格納された前記各データをファイル情報として表示する表示手段を更に具備し、前記各ファイル間での相互関連情報の編集、及び該関連情報に基づく前記各データの検索結果を表示することを特徴としている。
【００１１】
【作用】以上のように、この発明に係わる画像データ及び音声データを処理する装置は構成されているので、少なくとも１つ以上の画像、音声、テキストの各ファイル間のリンクが可能となり、それぞれのファイルを双方から高速に検索、再生できるので、画像、音声、テキストファイル間での相互に関連性のある表現を容易に編集、記録できる。」
　
（ｄ）　「　【００１３】
【実施例】以下、本発明の好適な実施例について、添付図面を参照して詳細に説明する。図１は、本実施例のデジタル電子カメラ本体のシステム構成を示すブロック図である。図１において、記録媒体１０１は、例えばＰＣＭＣＩＡ規格に準拠したメモリカ−ドやハードディスクなどである。音声入力回路２０及び音声出力部２２は、例えばオーディオジャックあるいはスピーカである。Ａ／Ｄ変換器２４は、音声信号をアナログ信号からデジタル信号に変換する装置で、Ｄ／Ａ変換器２５は、信号処理制御用ＣＰＵ１３から送られるデジタルの音声信号をアナログに変換する装置である。スイッチ２１は音声出力部２２への音声信号の送信を選択する選択回路である。メモリバスコントローラ１０２は、撮像信号処理部１９、信号処理制御用ＤＳＰ１３、画像表示用バッファメモリ１２、記録媒体Ｉ／Ｆ回路１０４の間での画像データ、音声データなどの転送を行う。
【００１４】Ｄ／Ａ変換機２６は画像表示用バッファメモリ１２からのデジタル画像データをアナログ映像信号に変換する装置であり、映像出力部２３はアナログに変換された映像信号を映像として表示する映像表示装置である。１は撮影レンズであり、２は絞り機能とシャッター機能を兼ねる絞り兼用シャッター、３はストロボ、メカ及び操作部制御用ＣＰＵ４は機械的な操作を行なう各操作部を制御し、駆動回路５はメカ系各部の駆動させる回路である。
【００１５】撮像素子６は被写体からの反射光を電気信号に変換するＣＣＤで、タイミング信号発生回路７は撮像素子６を動作させるために必要なタイミング信号を発生する（以下、「ＴＧ」と称する）。撮像素子駆動回路８はタイミング信号発生回路７からの信号を撮像信号の駆動可能なレベルに増幅する駆動回路で、前置処理回路９は撮像素子６で発生する出力ノイズ除去のためのＣＤＳ回路及びＡ／Ｄ変換前に行う非線形増幅回路を備える。Ａ／Ｄ変換器１０は前置処理後のデータをデジタルに変換する。信号処理制御用ＣＰＵ１３は信号処理部を制御する信号処理制御用ＤＳＰ（ＤＩＧＴＡＬ  ＳＩＧＮＡＬ  ＰＲＯＣＥＳＳＯＲ）であり、操作表示部１４は操作補助のための表示やカメラの状態を表わす表示部で、操作部１５はカメラを外部から制御するためのキーボード等の入力装置である。記録媒体Ｉ／Ｆ１０４は本実施例に基づくデジタル電子カメラと記録媒体１０１とを接続するための記録媒体Ｉ／Ｆ用回路である。そして、本実施例のカメラの記録媒体への記録ファイルフォーマットは、例えばＭＳーＤＯＳのようなファイルフォーマットを使用することができる。
【００１６】画像表示用バッファメモリ１２は信号処理制御用ＤＳＰ１３から画素単位でアクセスすることが可能であり、また撮影する画像を表示しながら任意の操作手段パネルを描画することができる。操作部１５にトラックボールなどを実装すれば、近年におけるパ−ソナルコンピュ−タにおけるポインティングデバイスを用いたＧＵＩ（Graphical User Interface）と同様のユーザーＩ／Ｆを実現できるようになっている。つまり信号処理制御用ＤＳＰ１３が画像表示用バッファに様々なコントロールパネルを描画して、ユーザーがそのコントロールパネルに対してポインティングデバイス（この場合トラックボール）によって操作することでカメラのあらゆる操作が可能となる。また信号処理制御用ＤＳＰ１３によって、画像やテキストや様々な図形を画像表示部に描画することでユーザーに対して撮影された画像、カメラの現在の状態、記録媒体上のファイル管理情報など多種多様な情報の提示が行われる。本実施例では以下操作部１５と上記ＧＵＩによるユーザーＩ／Ｆ操作を操作部１５による操作と称することとする。またポインティングデバイスによるクリックあるいはダブルクリック操作などを起動操作と称することとする。
【００１７】＜画像記録モード時の記録画像のモニタ＞信号処理制御用ＤＳＰ１３がユーザーの操作部１５の記録モード移行命令を検知すると、信号処理制御用ＤＳＰ１３は以下の処理を実行し記録する画像を映像出力部２３に表示する。撮影者の意図に応じてレンズ系の制御がメカ操作部制御用ＣＰＵ４及びメカ系駆動回路５により行われる。この際、撮影条件などが操作部１５に表示され、撮影者にカメラの状況を伝える。さらに不図示の測光回路により被写体の明るさを測定し、絞り兼用シャッター２の絞り度を表す値やシャッタースピードのデータをメカ操作部制御用ＣＰＵにて導出する。メカ操作部制御用ＣＰＵ４で導出された制御値に基づき、メカ系駆動回路５により絞り兼用シャッター２を駆動する。また測光回路（不図示）の出力によってはストロボ３を発光させて撮影することになる。このようにして露光されて、被写体の反射光が撮影レンズ１及び絞り兼用シャッター２を介して撮像素子６に入射される。この際、絞り兼用シャッター２は撮像素子６への入射光量を制限するとともに、撮像素子としてインターレース読み出し型ＣＣＤを用いた場合、画像の転送中に入射光が信号電荷に悪影響を与えないようにするために設けられている。撮像素子６は、ＴＧ７からの出力を撮像素子駆動回路８によって増幅させた駆動信号により動作させる。尚、ＴＧ７は信号処理制御用ＤＳＰ１３によりその動作を制御されている。以上のようにして駆動させた撮像素子６の出力は前置処理回路９に送られる。前置処理回路９では撮像素子からの出力に発生する低域ノイズを除去するＣＤＳ処理と共に、Ａ／Ｄ変換器１０のＤレンジ（デジタル化された信号データ）を有効に用いるために撮像出力を非線形化する処理を行っている。前置処理された撮像信号出力はＡ／Ｄ変換器１０においてデジタル信号に変換され、撮像信号処理部１９によって標準的なコンポーネントビデオ（例えば輝度信号と２色差信号やＲＧＢ信号）に変換されメモリコントローラ１０２に入力される。メモリコントローラ１０２では信号処理制御用ＤＳＰ１３の制御により、デジタル化された撮像信号をバッファメモリ１２に連続的に転送していく。
【００１８】図２は、画像記録モードにおける表示形式を示す図である。画像表示部２３に出力される表示画像は例えば図２に示すように記録画像のモニタ領域部分２０２と、カメラの状態や撮影条件などユーザーが設定できるパラメータのコントロールパネル部分２０３を分割されて表示される。画像表示用バッファメモリ１２のデジタル化されたデータはＡ／Ｄ変換器２６によってアナログ映像信号に変換され映像出力部２３に出力され、映像出力部２３で表示される。ユーザーは、記録する画像を動画像としてモニタ領域部分２０２において確認できる。
【００１９】以上の処理によって撮像素子６によって捕らえられた動画像が映像出力部２３に表示されるのである。
＜画像の記録＞撮影者が操作部１５を制御することによりカメラに撮影を指示すると、信号処理制御用ＤＳＰ１３は動画表示を停止して表示用バッファメモリに保持された画像データにメモリコントローラを介してアクセスしてデジタルの圧縮処理を行った後、記録媒体Ｉ／Ｆ１０４を介して記録媒体１０１に記録する。
【００２０】この転送期間及び記録終了後一定期間中メモリバスコントローラ１０２は画像表示用バッファメモリ１２への書き込みを停止すれば記録する画像が静止されて映像出力部２３に表示される。従ってユーザーがたった今記録した静止画像を映像出力部２３で確認できる。また撮影後、より速く記録された画像の中身を確認するために、信号処理制御用ＤＳＰ１３は圧縮した画像の間引き画像を圧縮ファイルに付加することができる。例えば、元の画像の縦横８分の１程度に間引いた画像を付加してもファイル容量はそれほど増加しないのである。尚、この画像を索引画像と呼ぶ。
【００２１】＜音声記録時の音声のモニタ及び記録＞記録モード時には信号処理制御用ＤＳＰ１３はスイッチ回路２１で音声入力回路２０の出力を音声出力部２２の入力に接続して記録する音声をモニタすることができる。信号処理制御用ＤＳＰ１３がユーザの操作部１５による音声記録命令を検知すると、信号処理制御用ＤＳＰ１３はＡ／Ｄ変換器２４でデジタルデータに変換したデータを受け取り、メモリバスコントローラ１０２を介して記録媒体Ｉ／Ｆ１０４に転送する。
【００２２】信号処理制御用ＤＳＰ１３がユーザーの操作部１５による音声記録命令の解除を検知するか、あるいは信号処理制御用ＤＳＰ１３が一定時間経過したことで音声記録の解除とみなした時点で信号処理制御用ＤＳＰ１３は音声の記録を終了する。
＜画像と音声の同時記録＞画像と音声を同時に記録する場合、前述の＜画像の記録＞で説明したように画像を圧縮して記録媒体Ｉ／Ｆ１０４に転送している間は、信号処理制御用ＤＳＰ１３はＡ／Ｄ変換器２４から受け取った音声のデータを信号処理制御用ＤＳＰ１３の内部バッファに一時的に保存しておき、画像の転送が終了した時点で音声データを記録媒体Ｉ／Ｆ１０４に転送する。ＮＴＳＣ方式の１フィールド期間１６．７ミリ秒のうち、垂直同期期間とその前後には１．４ミリ秒程度の垂直ブランキング期間といわれる映像信号が存在しない期間がある。画像データを通常のビデオレートで転送する場合、この垂直ブランキング期間を除いた時間（約１５ミリ秒）の間に撮像信号処理されていない画像データを転送する。これを実現するために約１０ＭＢｙｔｅ／ｓｅｃのスピードでデータを転送する。」
　
（ｅ）　「　【００３２】以上の説明により明らかなように本実施例のデジタル電子カメラは記録媒体に画像データ、音声データ、テキストデータの３種類のファイルを保持できる。
＜ファイルの一覧表示＞図５は、記録されたファイルの一覧を表示する表示形式を示す図である。３種のファイルをカメラの表示部に映像としてディレクトリ表示するときは信号処理制御用ＤＳＰ１３が記録媒体上に記録されているファイルを読み出し、ファイルデータの種類に応じて図５に示すように画像については画像ファイルを表現する索引画像５０１、音声、テキストは夫々５０２、５０４のようなアイコンとして表示する。これらの表示は記録時間順に表示したり、また画像だけ、音声だけ、テキストだけの表示を行うこともできる。またユーザーは索引画像、音声、テキストを表すアイコンをポインティングデバイスで選択したのち、消去ボタン５０９をクリックするとカメラは選択されたファイルの消去を行う。
【００３３】索引画像５０１の下部にある音声、テキストの夫々のアイコン５１１、５１２はその画像ファイルにリンクされたテキストや音声が存在するかどうかを示すためのものである。テキスト及び音声は後述する＜画像ファイルへの音声、テキストのリンク＞に従ってリンクされる。例えば、５１１、５１２のようにアイコンをグレーレベルにすることでデータが存在することを表現する。これらのアイコンをポインティングデバイスを用いて選択して起動させ、後述する＜音声の再生＞又は＜テキストの再生＞が行われる。
【００３４】図５において、画面の一部５１０は表示する索引画像やアイコンなどのオブジェクトが画面に入りきらないときにそれらを検索できるように上下にスクロールするためのスクロールバーである。これは近年のパ−ソナルコンピュ−タやワークステーションで用いられるウィンドウ表示のためのツールと同様に機能する。
＜画像の拡大及び再生＞図７は、拡大された画像の表示形式を示す図である。図７において一つの画像について拡大再生したい場合、ユーザーは操作部のポインティングデバイスを用いて一つの索引画像を選択して拡大命令（例えばボタンのダブルクリック）を行う。信号処理制御用ＤＳＰ１３は上記操作を検知すると選択された画像ファイルから圧縮画像データを読み出し、伸長して画像表示用バッファメモリに転送し画像表示部に表示する。このときの表示は、例えば図７に示すように拡大された画像の表示部７０１と各制御用ボタン７０２〜７０４、更にリンクされた複数の音声、テキストのアイコンとして夫々７０５、７０６などが表示される。
【００３５】ポインティングデバイスでボタン７０２を起動すると図７に表示された画像のパネルは閉じられて前述の図５の表示に戻る。
＜音声の再生＞次に、図５において、音声を再生したい場合、ユーザーは操作部のポインティングデバイスを用いて音声アイコンを選択して起動する。
【００３６】信号処理制御用ＤＳＰ１３はスイッチ回路２１を制御してＤ／Ａ変換器２５からの出力を音声出力部２２の入力に接続する。信号処理制御用ＤＳＰ１３は記録媒体Ｉ／Ｆ１０４、メモリバスコントローラ１０２を制御して音声データを読み出しＤ／Ａ変換器に記録時の標本化周期で出力し音声出力部２２から音声が出力される。」
　
（ｆ）　「　【００４０】一つの画像ファイルにリンクされた音声、テキストが存在する場合、その画像を表示する場合夫々図５、図７に示すようにリンクされた音声ファイル、テキストファイルをアイコンで（例えば、画像データの下部に）表示することができる。ユーザーはこのアイコンをポインティングデバイスで選択、起動するとカメラは関連づけられた音声の再生、テキストの表示を行う。
【００４１】テキストは図６のように表示される。この表示は単独、または図５、図７の表示の上に重ねて表示される。またユーザーは図７においてアイコン７０５、７０６をポインティングデバイスで選択した後、削除ボタン７０７をクリックするとカメラは関連づけられた音声、テキストファイルの削除を行うことが可能である。この操作手段は図８に示した画像ファイル、音声、テキストファイルのお互いのリンク情報を消去する。このときリンクの削除された音声やテキストファイルは単独で存在するようにしてもよいし、消去するようにしてもよい。」
　
（ｇ）　「　【００５３】
【発明の効果】以上説明したように、本発明によれば、少なくとも１つ以上の画像、音声、テキストの各ファイル間のリンクが可能となり、それぞれのファイルを双方から高速に検索、再生できるので、画像、音声、テキストファイル間での相互に関連性のある表現を容易に編集、記録することができる効果がある。」
　
　ここで、上記（ｄ）の【００２１】〜【００２２】には、音声を記録することが記載された上で、特に画像と音声を同時に記録する場合について説明されているから、引用例には音声を画像と同時に記録することが明瞭に記載されているとともに、その前提として音声を画像とは非同時に記録することも実質的に示されている。また、引用例は画像、すなわち映画やビデオ等の動画像ではない１枚の静止している画像を記録するものであり、画像は時間的な一瞬を捉えた情報であるのに対し、音声はある長さをもった時間にわたって持続する情報であるから、画像とともに記録される音声には、画像が撮影された一瞬と同時刻である部分もそうでない部分もあることは自明のことである。したがって、引用例には、画像データと同時または非同時に音声データを入力することが示されている。
　そして、上記引用例（ａ）〜（ｇ）の記載事項、及び、図面を総合すると、引用例には、次の発明（以下、「引用発明」という。）が記載されていると認められる。
　
＜引用発明＞
「　画像データを入力する撮像素子（６）と、
　前記画像データと同時または非同時に前記画像データと異なる種類の音声データを入力する音声入力回路（２０）と、
　前記画像データと前記音声データとを関連づけて記録する記録媒体（１０１）と、
　前記画像データに対応する索引画像（５０１，５０３）を表示（図５）する画像表示部（２３）と、
　前記記録媒体（１０１）に記録されている画像データまたは音声データを消去する消去ボタン（５０９）と、
　前記画像表示部（２３）により複数の前記画像データに対応する複数の索引画像（５０１，５０３）を同時に表示させた状態（図５）において、前記消去ボタン（５０９）により前記画像データとともに前記画像データに関連づけられて記録されている前記音声データを消去させるよう制御するメカ操作部制御用ＣＰＵ（４）、信号処理制御用ＣＰＵ（１３）、及び、メモリバスコントローラ（１０２）と
　を備える画像データ及び音声データを処理する装置。」
　
　
４．　対比
　
　本願発明と引用発明とを比較すると、次のことがいえる。
　
（１）　引用発明における「画像データ」は、本願発明における「画像情報」に相当する。
（２）　引用発明における「撮像素子（６）」は、本願発明における「画像入力手段」に相当する。
（３）　引用発明における「音声データ」は、本願発明における「他の情報」に相当する。
（４）　引用発明における「音声入力回路（２０）」は、本願発明における「情報入力手段」に対応する。
（５）　引用発明における「前記画像データと前記音声データとを関連づけて記録する記録媒体（１０１）」は、本願発明における「前記画像情報と前記他の情報とを関連付けして記憶する記憶手段」に相当する。
（６）　引用発明における「前記画像データに対応する索引画像（５０１，５０３）」は、本願発明における「前記画像情報に対応する画像」に相当する。
（７）　引用発明における「画像表示部（２３）」は、本願発明における「表示手段」に相当する。
（８）　引用発明における「記録」が、本願発明における「記憶」に相当し、引用発明における「画像データまたは音声データ」が、本願発明における「前記記憶手段に記憶されている『情報』」の『情報』に相当する。また、引用発明における「消去」が、本願発明における「削除」に相当し、引用発明における「消去ボタン（５０９）」が、本願発明における「削除手段」に相当する。そして、引用発明における「前記記録媒体（１０１）に記録されている画像データまたは音声データを消去する消去ボタン（５０９）」は、本願発明における「前記記憶手段に記憶されている情報を削除する削除手段」に相当する。
（９）　引用発明における「複数の前記画像データに対応する複数の索引画像（５０１，５０３）」は、本願発明における「複数の前記画像情報に対応する複数の画像」に相当する。
（１０）　引用発明における「前記画像データに関連づけられて記録されている前記音声データ」は、本願発明における「前記画像情報に関連付けられて記憶されている前記他の情報」に相当する。
（１１）　引用発明における「メカ操作部制御用ＣＰＵ（４）、信号処理制御用ＣＰＵ（１３）、及び、メモリバスコントローラ（１０２）」は、本願発明における「制御手段」に対応する。
（１２）　引用発明における「画像データ及び音声データを処理する装置」は、本願発明における「情報処理装置」に相当する。
　
　すると、本願発明と引用発明とは次の点で一致する。
　
＜一致点＞
「　画像情報を入力する画像入力手段と、
　前記画像情報と同時または非同時に前記画像情報と異なる種類の他の情報を入力する情報入力手段と、
　前記画像情報と前記他の情報とを関連付けして記憶する記憶手段と、
　前記画像情報に対応する画像を表示する表示手段と、
　前記記憶手段に記憶されている情報を削除する削除手段と、
　前記表示手段により複数の前記画像情報に対応する複数の画像を同時に表示させた状態において、前記削除手段により前記画像情報に関連付けられて記憶されている前記他の情報を削除させるよう制御する制御手段と
　を備える情報処理装置。」
　
　一方で、本願発明と引用発明とは次の点で相違する。
　
＜相違点＞
　本願発明が、「複数の前記画像情報に対応する複数の画像を同時に表示させた状態において、」「前記画像情報に関連付けられて記憶されている前記他の情報『のみ』を削除」するものであるのに対し、これらに対応する要件として引用発明に示されているのは、複数の前記画像データに対応する複数の索引画像（５０１，５０３）を、図５に示されているように、同時に表示させた状態において、前記画像データとともに前記画像データに関連づけられて記録されている前記音声データを消去することであって、音声データのみを消去すること、すなわち本願発明にいう「他の情報『のみ』を削除」することが、引用発明に明確には示されていない点。
　
　
５．　判断
　
　上記相違点について検討する。
　
　上記（ｅ）の【００３３】には、「索引画像５０１の下部にある音声、テキストの夫々のアイコン５１１、５１２」との記載があり、【００３５】には、「＜音声の再生＞次に、図５において、音声を再生したい場合、ユーザーは操作部のポインティングデバイスを用いて音声アイコンを選択して起動する。」と記載されているから、引用例には、この図５の音声アイコン（５１２）を選択して起動して音声を再生することが記載されている。してみると、図５の音声アイコン（５１２）は、索引画像（５０１）とは別物の、音声データのみを示している単体のアイコンとして、ユーザーによって選択されることができるアイコンであると認められる。
　ここで、選択されたアイコンに対応するデータのみを消去することは、例えば上記（ｆ）の【００４１】における、「またユーザーは図７においてアイコン７０５、７０６をポインティングデバイスで選択した後、削除ボタン７０７をクリックするとカメラは関連づけられた音声、テキストファイルの削除を行うことが可能である。」との記載を参照することによっても確認することができるように、引用発明と同一技術分野における本願出願前の周知技術である。してみると、引用発明において図５に示されている音声アイコン（５１２）を選択し、上記周知技術を採用して、この選択された音声アイコン（５１２）に対応する音声データのみを消去することに格別な困難性は認められない。よって、引用発明において、複数の画像データに対応する複数の索引画像（５０１，５０３）を、図５に示されているように、同時に表示させた状態において、この図５の音声アイコン（５１２）を選択した後、消去ボタン（５０９）をクリックすることによって、索引画像（５０１）に対応する画像データを消去することなく、この音声アイコン（５１２）に対応する音声データのみを消去するようにすること、すなわち本願発明における「複数の前記画像情報に対応する複数の画像を同時に表示させた状態において、」「前記画像情報に関連付けられて記憶されている前記他の情報『のみ』を削除」するように構成することは、当業者が容易に成し得たことである。
　
　また、本願発明の構成によってもたらされる効果も、引用発明から当業者であれば予測することができた程度のものであって、格別のものとは認められない。
　
　したがって、本願発明は、引用発明及び周知技術に基づいて当業者が容易に発明をすることができたものである。
　
　
６．　むすび
　
　以上のとおり、本願の請求項１に係る発明は、特許法第２９条第２項の規定により特許を受けることができないものである。
　したがって、その余の請求項について検討するまでもなく、本願は拒絶すべきものである。
　よって、結論のとおり審決する。